(57)【要約】【課題】発光強度を測定するタイミングに自由度を持たせる。【解決手段】バックライト３００は、赤色の光を発光するＬＥＤ５００Ｒ、緑色の光を発光するＬＥＤ５００Ｇ、及び青色の光を発光するＬＥＤ５００Ｂを備える。駆動回路５５０は各ＬＥＤを駆動する。制御回路６００Ａは、発光強度信号の各々について最大値を保持して、発光色ごとに各最大発光強度信号を出力するピークホールド回路を備え、各最大発光強度信号の値と発光色ごとに定められた各基準値とを各々比較し、比較結果に基づいて各最大発光強度信号の値が各基準値に近づくように駆動回路５５０を制御する。【選択図】図１
2009081353.tif 000002
【特許請求の範囲】
【請求項１】
各々が異なる色で発光する複数種類の発光素子と、
前記複数種類の発光素子を各々駆動する駆動手段と、
前記複数種類の発光素子の発光強度を各々測定して複数の発光強度信号を生成する複数の発光強度検出手段と、
前記複数の発光強度信号の各々について最大値を保持して、前記複数種類の発光素子ごとに各最大発光強度信号を出力する複数のピークホールド手段と、
前記各最大発光強度信号の値と前記複数種類の発光素子ごとに定められた各基準値とを各々比較し、比較結果に基づいて前記各最大発光強度信号の値が前記各基準値に一致させるように前記駆動手段を制御する制御手段とを備える、
ことを特徴とする発光装置。
【請求項２】
各々が異なる色で発光する複数種類の発光素子と、
前記複数種類の発光素子を各々駆動する駆動手段と、
前記複数種類の発光素子の発光強度を各々測定して複数の発光強度信号を生成する複数の発光強度検出手段と、
前記複数の発光強度信号の中から一つを順次選択して選択発光強度信号を出力する選択手段と、
前記選択光強度信号の最大値を保持して最大発光強度信号を出力するピークホールド手段と、
前記複数種類の発光素子ごとに定められた複数の基準値の中から、前記最大発光強度信号に対応する基準値を選択し、前記最大発光強度信号と前記選択した基準値とを比較し、比較結果に基づいて前記最大発光強度信号の値が前記基準値に一致させるように前記駆動手段を制御する制御手段とを備える、
ことを特徴とする発光装置。
【請求項３】
前記複数の発光強度検出手段の各々は、前記複数種類の発光素子が発光する光のピーク波長に対応した波長感度特性を有することを特徴とする請求項１又は２に記載の発光装置。
【請求項４】
請求項１乃至３のうちいずれか1項に記載の発光装置を光源として備えることを特徴とする電子機器。
【請求項５】
各々が異なる色で発光する複数種類の発光素子を備えた発光装置の制御方法において、
前記複数種類の発光素子の発光強度を各々測定して複数の発光強度信号を生成し、
前記複数の発光強度信号の各々について最大値を保持して、前記複数種類の発光素子ごとに各最大発光強度信号を生成し、
前記各最大発光強度信号の値と前記複数種類の発光素子ごとに定められた各基準値とを各々比較し、比較結果に基づいて前記各最大発光強度信号の値が前記各基準値に一致させるように前記複数種類の発光素子を各々駆動する、
ことを特徴とする発光装置の制御方法。
【請求項６】
各々が異なる色で発光する複数種類の発光素子を備えた発光装置の制御方法において、
前記複数種類の発光素子の発光強度を各々測定して複数の発光強度信号を生成し、
前記複数の発光強度信号の中から一つを順次選択して選択発光強度信号を生成し、
前記選択光強度信号の最大値を保持して最大発光強度信号を生成し、
前記複数種類の発光素子ごとに定められた複数の基準値の中から、前記最大発光強度信号に対応する基準値を選択し、
前記最大発光強度信号と前記選択した基準値とを比較し、比較結果に基づいて前記最大発光強度信号の値が前記基準値に一致させるように前記複数種類の発光素子を各々駆動する、
ことを特徴とする発光装置の制御方法。
【発明の詳細な説明】
【技術分野】
【０００１】
本発明は、各々が異なる色で発光する複数種類の発光素子を備えた発光装置、その制御方法および電子機器に関する。
【背景技術】
【０００２】
液晶ディスプレイに代表される直視型の表示装置では、白色バックライトの光を液晶により選択的に透過率を変化させ、カラーフィルタを通過させることによりカラー表示する方式と、カラーフィルタを用いず、ＲＧＢ色の光源を順番に発光させ、対応する時間タイミングで液晶を制御することによりカラー表示を行う時間順次（フィールドシーケンシャル）方式がある。
【０００３】
カラーフィルタ方式では低消費電力化、動画特性改善のため従来常時点燈していたバックライトを、表示画像の明暗に応じて調光したり、パルス的に点滅させている。一般的にこのような用途に光源として使用されるのは発光ダイオード（以下、ＬＥＤと称する）である。ＬＥＤは他の光源に比べて超寿命、低消費電力、小型、表現できる色が豊富、応答速度が速い、水銀レスといった長所がある反面、発熱によって発光波長が変化するため、センサー等によりフィードバック制御する必要がある。また輝度を調整するためにＰＷＭ駆動するのが一般的である。
【０００４】
一方、時間順次方式の場合は原理上、光源は間欠的に発光することになるが、ＲＧＢ色のＬＥＤにより時間軸上で合成される色を一定に保つためにカラーフィルタ方式と同様にセンサーによるフィードバック制御が必要である。特許文献１には、一定のタイミングで発光強度を検出する検出素子の出力をローパスフィルタを介して取り込み、この結果を利用してフィードバック制御する技術が開示されている。
【特許文献１】特開２００４−１６３５２７号公報
【発明の開示】
【発明が解決しようとする課題】
【０００５】
ところで、液晶表示装置に用いられるバックライトでは、環境の明るさに応じてバックライトの光量を調整する必要がある。この場合、ＬＥＤが発光している期間をＰＷＭ制御するのが通常であり、そのような場合には、ＬＥＤが発光している期間が変化する。
特許文献１に記載されたフィードバック制御では、一定のタイミングで発光強度を取り込むので、液晶ディスプレイに要求される発光タイミングの変化に対応することができない。また、上記の目的のために使用されるセンサーは発光源の波長に感度をもつが、ノイズ除去のためローパスフィルタが挿入されるので応答は一次遅れ特性となる。よって、検出素子の応答が完了してから出力を取り込む必要があるが、特許文献１の方式ではこの状況に対応できない。
【０００６】
本発明は、このような事情に鑑みてなされたものであり、発光素子の発光強度を検出し、フィードバック制御する場合に、発光強度の検出タイミングに自由度を持たせることができる発光装置、その制御方法および電子機器を提供することにある。
【課題を解決するための手段】
【０００７】
上述した課題を解決するために、本発明に係る発光装置は、各々が異なる色で発光する複数種類の発光素子と、前記複数種類の発光素子を各々駆動する駆動手段と、前記複数種類の発光素子の発光強度を各々測定して複数の発光強度信号を生成する複数の発光強度検出手段と、前記複数の発光強度信号の各々について最大値を保持して、前記複数種類の発光素子ごとに各最大発光強度信号を出力する複数のピークホールド手段と、前記各最大発光強度信号の値と前記複数種類の発光素子ごとに定められた各基準値とを各々比較し、比較結果に基づいて前記各最大発光強度信号の値が前記各基準値に一致させるように前記駆動手段を制御する制御手段（例えば、実施形態の駆動信号生成回路）とを備えることを特徴とする。
【０００８】
この発明によれば、各発光素子の発光強度の最大値を保持するピークホールド手段を備えるので、発光素子が点灯・消灯を繰り返しても、点灯時の発光強度を最大発光強度として保持することができる。そして、最大発光強度に基づいてフィードバック制御を実行するので、発光強度を検出するタイミングの自由度を大幅に拡大することができる。くわえて、さらに、ピークホールド手段は積分器として作用するので、そのフィルタ効果によりノイズの少ない、平均化された出力を得ることができる。なお、「一致させるように」とは、完全に一致する場合だけでなく、フィードバック制御などで発生する所定の誤差を含む概念である。
【０００９】
次に、本発明に係る他の発光装置は、各々が異なる色で発光する複数種類の発光素子と、前記複数種類の発光素子を各々駆動する駆動手段と、前記複数種類の発光素子の発光強度を各々測定して複数の発光強度信号を生成する複数の発光強度検出手段と、前記複数の発光強度信号の中から一つを順次選択して選択発光強度信号を出力する選択手段と、前記選択光強度信号の最大値を保持して最大発光強度信号を出力するピークホールド手段と、前記複数種類の発光素子ごとに定められた複数の基準値の中から、前記最大発光強度信号に対応する基準値を選択し、前記最大発光強度信号と前記選択した基準値とを比較し、比較結果に基づいて前記最大発光強度信号の値が前記基準値に一致させるように前記駆動手段を制御する制御手段とを備えることを特徴とする。
この発明によれば選択手段を備えるので、ピークホールド手段、比較手段、及び制御手段を複数種類の発光素子で兼用することができる。したがって、発光装置に構成を簡素化することができる。
【００１０】
また、上述した発光装置において、前記複数の発光強度検出手段の各々は、前記複数種類の発光素子が発光する光のピーク波長に対応した波長感度特性を有することが好ましい。
次に、本発明に係る電子機器は、上述した発光装置を光源として備えることが好ましい。そのような電子機器としては、パーソナルコンピュータ、携帯電話機、プロジェクタなどが該当する。
【００１１】
次に、本発明に係る発光装置の制御方法は、各々が異なる色で発光する複数種類の発光素子を備えた発光装置を制御する方法であって、前記複数種類の発光素子の発光強度を各々測定して複数の発光強度信号を生成し、前記複数の発光強度信号の各々について最大値を保持して、前記複数種類の発光素子ごとに各最大発光強度信号を生成し、前記各最大発光強度信号の値と前記複数種類の発光素子ごとに定められた各基準値とを各々比較し、比較結果に基づいて前記各最大発光強度信号の値が前記各基準値に一致させるように前記複数種類の発光素子を各々駆動する。この発明によれば、発光素子が点灯・消灯を繰り返しても、点灯時の発光強度を最大発光強度として保持することができる。そして、最大発光強度に基づいてフィードバック制御を実行するので、発光強度を検出するタイミングの自由度を大幅に拡大することができる。くわえて、さらに、ピークホールド手段は積分器として作用するので、そのフィルタ効果によりノイズの少ない、平均化された出力を得ることができる。
【００１２】
次に、本発明に係る発光装置の制御方法は、各々が異なる色で発光する複数種類の発光素子を備えた発光装置を制御する方法であって、前記複数種類の発光素子の発光強度を各々測定して複数の発光強度信号を生成し、前記複数の発光強度信号の中から一つを順次選択して選択発光強度信号を生成し、前記選択光強度信号の最大値を保持して最大発光強度信号を生成し、前記複数種類の発光素子ごとに定められた複数の基準値の中から、前記最大発光強度信号に対応する基準値を選択し、前記最大発光強度信号と前記選択した基準値とを比較し、比較結果に基づいて前記最大発光強度信号の値が前記基準値に一致させるように前記複数種類の発光素子を各々駆動することを特徴とする。
この発明によれば、複数の発光強度信号の中から一つを順次選択して選択発光強度信号を生成するので、時分割の処理が可能となる。この結果、ピークホールド処理、比較処理、及び制御処理を複数種類の発光素子で兼用することができる。
【発明を実施するための最良の形態】
【００１３】
以下、図面を参照して本発明を実施するための最良の形態について説明する。
＜１．第１実施形態＞
＜１−１：全体構成＞
先ず、図１及び図２を参照して、本実施形態に係る液晶表示装置の構成等について説明する。ここに、図１は、本実施形態に係る液晶表示装置の基本構成を図式的に示した模式図である。図２は、図１におけるＺ−Ｚ’の平面で切断した断面図である。
【００１４】
図１に示されるように、本実施形態に係る液晶表示装置１は、液晶パネルＡＡ、バックライトモジュール４００及び発光モジュール５００を有するバックライト３００、駆動回路５５０、並びに、制御回路６００Ａを備えて構成されている。尚、本発明に係る照明装置の一具体例が、発光モジュール５００によって構成されている。
液晶パネルＡＡは、素子基板１５１と、その素子基板１５１に対向して配置されるカラーフィルタ基板とが枠状のシール材を介して貼り合わされ、そのシール材の内側に液晶が封入されて液晶１５５の層が形成されてなる。液晶１５５の層に用いられる液晶は、例えばＴＮ（TwistedNematic）型液晶である。液晶パネルＡＡの素子基板１５１の外面上には、バックライト３００が備えられている。尚、液晶パネルＡＡの詳細については、後述する。
【００１５】
バックライトモジュール４００は、ＬＥＤの発光強度を複数の波長において測定する発光強度センサー４０１、ＬＥＤから発光され放射された光を液晶パネルＡＡに均等に導くための光学素子及び反射面を備えて構成されている。また、発光モジュール５００から発光され放射される複数種類の波長を有する光を混光する。なお、発光強度センサー４０１は、この液晶表示装置１の性能として必要とされる色再現範囲（ＲＧＢ空間における）の頂点に対応する赤色、緑色、及び青色の波長の夫々について発光強度を測定する。
発光モジュール５００は、赤色ＬＥＤ５００Ｒ、緑色ＬＥＤ５００Ｇ、青色ＬＥＤ５００Ｂ、ＬＥＤの温度を測定する温度測定センサー５０１、並びに、各ＬＥＤが発生した熱を放熱する放熱手段（図示略）を備えて構成されている。ここで、ＬＥＤの符号「Ｒ」、「Ｇ」、「Ｂ」は発光色を表している。
【００１６】
各ＬＥＤは、駆動回路５５０によって、一定の電流値にてＰＷＭ駆動（Pulse Width Modulation駆動）される。各ＬＥＤは、周囲の外界温度によって発光する光の波長が変化するため、制御回路６００Ａの制御下で、各ＬＥＤは、温度測定センサー５０１などによって検出された温度に基づいて、駆動条件が変化されつつ駆動される。
駆動回路５５０は、複数種類のＬＥＤを、複数種類の駆動条件で駆動する。この駆動回路５５０は、制御回路６００Ａから供給された制御信号により動作し、例えばイネーブル信号が有効化（アクティブ化）されたタイミングに、各ＬＥＤにおいて電圧が発生するように、各ＬＥＤを駆動する。特に、各ＬＥＤを流れる電流の値は、外付けの抵抗又は内部のレジスタの設定によって決定されてよい。
【００１７】
制御回路６００Ａは、上述した発光強度センサーによって測定された複数の波長における発光強度、及び温度測定センサー５０１によって測定された温度に基づいて、駆動回路５５０における駆動タイミング等の駆動条件を変化させて、駆動回路５５０の動作を制御する。
【００１８】
次に、上述した電気的構成に係る液晶パネルの全体構成について上述した図１に加えて図２を参照して説明する。
図１及び図２に示されるように、液晶パネルＡＡは、画素電極６等が形成されたガラスや半導体等の素子基板１５１と、共通電極１５８等が形成されたガラス等の透明な対向基板１５２とを、スペーサ１５３が混入されたシール材１５４によって一定の間隙を保って、互いに電極形成面が対向するように貼り合わせるとともに、この間隙に電気光学材料としての液晶１５５を封入した構造となっている。なお、シール材１５４は、対向基板１５２の基板周辺に沿って形成されるが、液晶１５５を封入するために一部が開口している。このため、液晶１５５の封入後に、その開口部分が封止材１５６によって封止されている。
【００１９】
ここで、素子基板１５１の対向面であって、シール材１５４の外側一辺においては、上述したデータ線駆動回路２００が形成されて、Ｙ方向に延在するデータ線（図示略）を駆動する構成となっている。さらに、この一辺には複数の接続電極１５７が形成されている。
この接続電極１５７には、外部に設けられたタイミング発生回路からの各種信号やＲＧＢ色の階調を指定する画像信号を入力する構成となっている。また、この一辺に隣接する一辺には、走査線駆動回路１００が形成されて、Ｘ方向に延在する走査線２をそれぞれ両側から駆動する構成となっている。一方、対向基板１５２の共通電極１５８は、素子基板１５１との貼合部分における４隅のうち、少なくとも１箇所において設けられた導通材によって、素子基板１５１との電気的導通が図られている。ほかに、対向基板１５２には、液晶パネルＡＡの用途に応じて、例えば、第１に、ストライプ状や、モザイク状、トライアングル状等に配列したカラーフィルタが設けられ、第２に、例えば、クロムやニッケルなどの金属材料や、カーボンやチタンなどをフォトレジストに分散した樹脂ブラックなどのブラックマトリクスが設けられ、第３に、液晶パネルＡＡに光を照射するバックライトが設けられる。特に色光変調の用途の場合には、カラーフィルタは形成されずにブラックマトリクスが対向基板１５２に設けられる。
【００２０】
くわえて、素子基板１５１および対向基板１５２の対向面には、それぞれ所定の方向にラビング処理された配向膜などが設けられる一方、その各背面側には配向方向に応じた偏光板（図示省略）がそれぞれ設けられる。ただし、液晶１５５として、高分子中に微小粒として分散させた高分子分散型液晶を用いれば、前述の配向膜、偏光板等が不要となる結果、光利用効率が高まるので、高輝度化や低消費電力化などの点において有利である。
【００２１】
なお、データ線駆動回路２００、走査線駆動回路１００等の周辺回路の一部または全部を、素子基板１５１に形成する替わりに、例えば、ＴＡＢ（TapeAutomatedBonding）技術を用いてフィルムに実装された駆動用ＩＣチップを、素子基板１５１の所定位置に設けられる異方性導電フィルムを介して電気的および機械的に接続する構成としても良いし、駆動用ＩＣチップ自体を、ＣＯＧ（ChipOnGlass）技術を用いて、素子基板１５１の所定位置に異方性導電フィルムを介して電気的および機械的に接続する構成としても良い。
【００２２】
＜１−２：バックライトの構成＞
次に図３から図５を参照して、本実施形態に係るバックライトについて詳しく述べる。図３に、本実施形態に係る発光強度センサー４０１の詳細な構成を示す。発光強度センサー４０１は、Ｒ発光強度センサー４０１Ｒ、Ｇ発光強度センサー４０１Ｇ、及びＢ発光強度センサー４０１Ｂを備える。Ｒ発光強度センサー４０１Ｒは、Ｒ色のピーク波長における発光強度を測定して測定結果を示すＲ発光強度信号Ｌｒを生成し、Ｇ発光強度センサー４０１Ｇは、Ｇ色のピーク波長における発光強度を測定して測定結果を示すＧ発光強度信号Ｌｇを生成し、Ｂ発光強度センサー４０１Ｂは、Ｂ色のピーク波長における発光強度を測定して測定結果を示すＢ発光強度信号Ｌｂを生成する。
【００２３】
Ｒ発光強度センサー４０１Ｒは、Ｒ色のピーク波長で透過率が最大となるＲフィルタ４０１ｒとＲフィルタ４０１ｒを介して光が入射するフォトダイオード４２０を備える。フォトダイオード４２０の陽極は接地され、陰極はオペアンプ４３０の負入力端子に接続されている。このオペアンプ４３０の出力信号は、抵抗４５０とコンデンサ４４０とを介して負入力端子にフィードバックされている。このため、オペアンプ４３０の負入力端子と基準電圧Ｖｒｅｆが供給される正入力端子との間にはイマジナリーショートが成立する。したがって、フォトダイオード４２０の陰極には基準電圧Ｖｒｅｆが供給される。このため、フォトダイオード４２０は逆バイアスされる。そして、Ｒフィルタ４０１ｒを介して光が入射すると、光量に応じた大きさの電流がフォトダイオード４２０を流れる。オペアンプ４３０はこの電流を電圧に変換してＲ発光強度信号Ｌｒを生成する。
【００２４】
なお、Ｇ発光強度センサー４０１Ｇ及びＢ発光強度センサー４０１Ｂは、Ｒフィルタ４１０ｒの替わりに、Ｇ色のピーク波長で透過率が最大となるＧフィルタ及びＢ色のピーク波長で透過率が最大となるＢフィルタを備える点を除いて、上述したＲ発光強度センサー４０１Ｒと同様に構成されている。また、Ｒ発光強度センサー４０１Ｒ、Ｇ発光強度センサー４０１Ｇ及びＢ発光強度センサー４０１Ｂは、例えば、図４に示す波長感度特性を有する。
【００２５】
次に、図５に制御回路６００Ａの詳細な構成を示す。制御回路６００Ａは、ＲＧＢの３系統に分かれて構成されている。各系統は同様に構成されているので、ここでは、Ｒピークホールド回路６１０ｒ、ＡＤ変換回路６２０ｒ、比較回路６３０ｒ、及び駆動信号生成回路６４０ｒによって構成されるＲ系統について説明する。
Ｒピークホールド回路６１０ｒは、Ｒ発光強度信号Ｌｒの最大値を保持してＲ最大発光強度信号Ｌｒｐを生成する。但し、Ｒ最大発光強度信号Ｌｒｐの値は、リセット信号ＲＥＳｒによってリセットされるようになっている。
【００２６】
図６にＲピークホールド回路６１０ｒの詳細な構成を示す。最終段のオペアンプＯＰ２はボルテージフォロアを構成しており、正入力端子の電圧をゲイン１で出力する。また、オペアンプＯＰ１、ダイオードＤ１及びＤ２、並びに抵抗Ｒ１は、ピーク検出回路を構成する。さらに抵抗Ｒ２及びコンデンサＣはホールド回路を構成し、トランジスタＴｒによって保持電圧が接地電位にリセットされるよ。このような構成において、Ｒ発光強度信号Ｌｒが供給されると、その値の最大値がホールド回路によって保持される。そして、リセット信号ＲＥＳｒがハイレベルになるとオペアンプＯＰ２の正入力端子が接地されて、ホールド回路で保持した電圧がリセットされる。
【００２７】
説明を図５に戻す。Ｒ最大発光強度信号ＬｒｐはＡＤ変換回路６２０ｒによってデジタル信号に変換され、Ｒ最大発光強度データとして比較回路６３０ｒに供給される。比較回路６３０ｒはＲ最大発光強度データと、基準値記憶回路６５１に記憶されたＲ基準値データとを比較して、Ｒ比較信号を生成する。なお、基準値記憶回路６５１は、Ｒ基準値データの他にＧ基準値データ及びＢ基準値データを記憶する。Ｒ基準値データは赤色ＬＥＤの発光強度の目標値を示し、Ｇ基準値データは緑色ＬＥＤの発光強度の目標値を示し、Ｂ基準値データは青色ＬＥＤの発光強度の目標値を示す。
【００２８】
駆動信号生成回路６４０ｒは、２値の駆動信号Ｄｒを生成する。ここで、駆動信号Ｄｒのハイレベル（アクティブとなるレベル）は、Ｒ比較信号に基づいて、赤色の最大発光強度の値が発光強度の目標値に一致又は近づくように調整する。さらに、駆動信号生成回路６４０ｒは駆動条件記憶回路６５２から供給されるＲ駆動条件データを参照して、駆動信号Ｄｒのデューティ比を決定する。ここで、Ｒ駆動条件データは駆動信号Ｄｒのデューティ比を指定する。Ｒ駆動条件データは、温度に対応付けられて駆動条件記憶回路６５２に記憶されている。駆動条件記憶回路６５２は温度を示す温度データＴｐが供給されると、当該温度に対応付けられたＲ駆動条件データを出力する。
なお、駆動条件記憶回路６５２は、Ｒ駆動条件データの他にＧ駆動条件データ及びＢ駆動条件データを温度に対応付けて記憶する。Ｇ駆動条件データは駆動信号Ｄｇのデューティ比を指定し、Ｂ駆動条件データは駆動信号Ｄｂのデューティ比を指定する。
【００２９】
以上の構成において、駆動信号Ｄｒ、Ｄｇ、及びＤｂの１周期は、フリッカを防止する観点から１フレーム周期以下に設定することが好ましい。そして、タイミング発生回路６６０は、所定のタイミングでリセット信号ＲＥＳｒ、ＲＥＳｇ、ＲＥＳｂを供給する。この場合、リセット信号ＲＥＳｒ、ＲＥＳｇ、ＲＥＳｂを供給してから、駆動信号Ｄｒ、Ｄｇ、及びＤｂの１周期が経過すると、各ピークホールド回路６１０ｒ、６１０ｇ及び６１０ｂから出力される最大発光強度信号Ｌｒｐ、Ｌｇｐ、及びＬｂｐのレベルは、図７に示すように安定する。本実施形態では、駆動信号Ｄｒ、Ｄｇ、及びＤｂのパルス幅が変動するが、ピークホールド回路が存在するため、発光強度信号をサンプリングする必要がないので、面倒なサンプリングタイミング制御は不要となる。さらに、ピークホールド回路は積分器として作用するので、そのフィルタ効果によりノイズの少ない、平均化された出力を得ることができる。以上のように特定のサンプルタイミングを指定しなくとも、発光している期間だけ測定すれば良いので簡単な制御回路で済みコストダウンできる。またノイズに強いので精度良く測定でき信頼性が向上する。
なお、駆動信号生成回路６４０ｒ、６４０ｇ及び６４０ｂは、リセット信号ＲＥＳｒ、ＲＥＳｇ、ＲＥＳｂを供給してから、駆動信号Ｄｒ、Ｄｇ、及びＤｂの１周期が経過した後に各比較データに基づいて駆動信号Ｄｒ、Ｄｇ、及びＤｂを生成することが好ましい。この場合には、リセット信号ＲＥＳｒ、ＲＥＳｇ、ＲＥＳｂを発生させるタイミングをフレーム周期と非同期に設定しても問題がない。
【００３０】
特に、図８（ａ）に示すようにフィールドシーケンシャルに駆動する場合や、図８（ｂ）に示すように１フレーム期間中に駆動信号Ｄｒ、Ｄｇ、及びＤｂがハイレベルとなる期間を分散させて、消費電流のピーク値を抑制する場合であっても、複雑なタイミング制御を不要にできる。
【００３１】
＜２．第２実施形態＞
第２実施形態に係る液晶表示装置は、制御回路６００Ａの替わりに制御回路６００Ｂを用いる点を除いて、上述した第１実施形態の液晶表示装置と同様に構成されている。
図９に制御回路６００Ｂの構成を示す。制御回路６００Ｂは、その入力段に選択回路６７０を備える。選択回路６７０は、タイミング発生回路６６０から供給される選択信号ＳＥＬｒ、ＳＥＬｇ、及びＳＥＬｂに従って、Ｒ発光強度信号Ｌｒ、Ｇ発光強度信号Ｌｇ、及びＢ発光強度信号Ｌｂの中から一つを順次選択して選択発光強度信号Ｌｓとして出力する。なお、選択信号ＳＥＬｒ、ＳＥＬｇ、及びＳＥＬｂは排他的にアクティブ（ローレベル）となる
【００３２】
選択回路６７０は、例えば、図１０に示すように構成することができる。この例では、３系統の信号を選択するために３個の選択ユニットＵｒ、Ｕｇ、及びＵｂを備える。選択ユニットＵｒは２個のインバータ、Ｐチャネルトランジスタ、及びＮチャネルトランジスタを備える。そして、選択信号ＳＥＬｒがローレベルになると、Ｐチャネルトランジスタ及びＮチャネルトランジスがオン状態となり、Ｒ発光強度信号Ｌｒが選択発光強度信号Ｌｓとして出力される。なお、他の選択ユニットＵｇ及びＵｂは、選択ユニットＵｒと同様に構成されている。
【００３３】
説明を図９に戻す。選択発光強度信号Ｌｓがピークホールド回路６１０に供給されると、ピークホールド回路６１０は、選択発光強度信号Ｌｓの最大値を保持して最大発光強度信号Ｌｐを生成する。ピークホールド回路６１０は、図６に示すＲピークホールド回路６１０ｒと同様に構成されている。最大発光強度信号ＬｐはＡＤ変換回路６２０ｒによってデジタル信号に変換され、最大発光強度データとして比較回路６３０に供給される。比較回路６３０は最大発光強度データと、基準値記憶回路６５１に記憶された基準値データとを比較して、比較信号を生成する。ここで、基準値記憶回路６５１は、上述した第１実施形態と同様に基準値データとして、Ｒ基準値データ、Ｇ基準値データ及びＢ基準値データを記憶する。基準値記憶回路６５１は、タイミング発生回路６６０から供給される選択信号に従って、Ｒ基準値データ、Ｇ基準値データ及びＢ基準値データのいずれかを出力する。すなわち、選択回路６７０による発光強度信号の選択に対応した基準値データが比較回路６３０に供給される。
【００３４】
駆動信号生成回路６４０は、２値の駆動信号Ｄｒ，Ｄｇ，Ｄｂを生成する。ここで、駆動信号Ｄｒ，Ｄｇ，Ｄｂのハイレベル（アクティブとなるレベル）は、各比較信号に基づいて、最大発光強度の値が発光強度の目標値に一致又は近づくように調整する。さらに、駆動信号生成回路６４０は駆動条件記憶回路６５２から供給されるＲ駆動条件データ、Ｇ駆動条件データ、Ｂ駆動条件データを参照して、駆動信号Ｄｒ，Ｄｇ，Ｄｂのデューティ比を決定する。なお、これら駆動条件データは温度に対応付けられて駆動条件記憶回路６５２に記憶されており、温度データＴｐが供給されると、当該温度に対応付けられた各駆動条件データが出力される。また、比較回路６３０から供給される比較信号が、どの色に対応するかは、タイミング発生回路６６０から供給される選択信号ＳＥＬによって指定される
【００３５】
図１１は、制御回路６００Ｂの動作を示すタイミングチャートである。同図に示すようにリセット信号ＲＥＳによって、最大発光強度信号Ｌｐのレベルがリセットされる。したがって、リセット信号ＲＥＳは最大発光強度の測定対象を切り替える度にアクティブとする必要がある。この例では、時刻ｔ１までＲ色の最大発光強度を測定しており、時刻ｔ２からＧ色の最大発光強度の測定を開始する。
この場合、リセット信号ＲＥＳの周期は、駆動信号Ｄｒ，Ｄｇ，Ｄｂの周期より長いことが好ましい。これによって、リセット信号ＲＥＳを発生させるタイミングをフレーム周期と非同期に設定しても問題がない。
【００３６】
第２実施形態によれば、制御回路６００Ｂの構成を簡素化できる。また、駆動信号Ｄｒ、Ｄｇ、及びＤｂのパルス幅が変動するが、ピークホールド回路が存在するため、発光強度信号をサンプリングする必要がないので、面倒なサンプリングタイミング制御は不要となる。さらに、ピークホールド回路は積分器として作用するので、そのフィルタ効果によりノイズの少ない、平均化された出力を得ることができる。以上のように特定のサンプルタイミングを指定しなくとも、発光している期間だけ測定すれば良いので簡単な制御回路で済みコストダウンできる。またノイズに強いので精度良く測定でき信頼性が向上する。
【００３７】
なお、選択回路６７０を図５に示すピークホールド回路６１０ｒ、６１０ｇ、６１０ｂの後、ＡＤ変換回路６１０ｒ、６１０ｇ、６１０ｂの後、あるいは比較回路６３０ｒ、６３０ｇ、６３０ｂの後に配置してもよい。
【００３８】
＜３．電子機器＞
次に、上述した実施形態および応用例に係る電気光学装置１を適用した電子機器について説明する。図１２に、本実施形態に係る照明装置を適用したモバイル型のパーソナルコンピュータの構成を示す。パーソナルコンピュータ２０００は、表示ユニットとしての電気光学装置１と本体部２０１０を備える。本体部２０１０には、電源スイッチ２００１及びキーボード２００２が設けられている。この電気光学装置１はデータ線駆動回路２００の構成が簡略化されるので、狭ピッチで高精細な画像を表示することができる。
図１３に、本実施形態に係る照明装置を適用した携帯電話機の構成を示す。携帯電話機３０００は、複数の操作ボタン３００１及びスクロールボタン３００２、並びに表示ユニットとしての電気光学装置１を備える。スクロールボタン３００２を操作することによって、電気光学装置１に表示される画面がスクロールされる。
図１４に、本実施形態に係る照明装置を適用した情報携帯端末（ＰＤＡ：PersonalDigitalAssistants）の構成を示す。情報携帯端末４０００は、複数の操作ボタン３００１及び電源スイッチ４００２、並びに表示ユニットとしての電気光学装置１を備える。電源スイッチ４００２を操作すると、住所録やスケジュール帳といった各種の情報が電気光学装置１に表示される。
なお、電気光学装置１が適用される電子機器としては、図１２〜図１４に示すものの他、プロジェクタ、デジタルスチルカメラ、液晶テレビ、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器等などが挙げられる。そして、これらの各種電子機器の表示部として、前述した電気光学装置１が適用可能である。
本発明は、上述した実施形態に限られるものではなく、請求の範囲及び明細書全体から読み取れる発明の要旨或いは思想に反しない範囲で適宜変更可能であり、そのような変更を伴う発光装置及びこれを用いた液晶表示装置もまた本発明の技術的範囲に含まれるものである。
【図面の簡単な説明】
【００３９】
【図１】第１実施形態に係る液晶表示装置の基本構成を図式的に示した模式図である。
【図２】図１におけるＺ−Ｚ’の平面で切断した断面図である。
【図３】発光強度センサー４０１の詳細な構成を示すブロック図である。
【図４】発光強度センサーの波長感度特性を示すグラフである。
【図５】同実施形態に係る制御回路６００Ａの詳細な構成を示すブロック図である。
【図６】Ｒピークホールド回路６１０ｒの詳細な構成を示す回路図である。
【図７】制御回路６００Ａの動作を示すタイミングチャートである。
【図８】（ａ）はフィールドシーケンシャル駆動、（ｂ）は通常駆動の例を示す説明図である。
【図９】第２実施形態に係る制御回路６００Ｂの詳細な構成を示すブロック図である。
【図１０】選択回路６７０の詳細な構成を示す回路図である。
【図１１】制御回路６００Ｂの動作を示すタイミングチャートである。
【図１２】本実施形態に係る発光装置を適用したモバイル型のパーソナルコンピュータの構成を示した斜視図である。
【図１３】本実施形態に係る発光装置を適用した携帯電話機の構成を示した斜視図である。
【図１４】本実施形態に係る発光装置を適用した情報携帯端末の構成を示した斜視図である。
【符号の説明】
【００４０】
１……液晶表示装置、ＡＡ……液晶パネル、３００……バックライト、４００……バックライトモジュール、４０１……発光強度センサー、５００……発光モジュール、５０１……温度測定センサー、５５０……駆動回路、６００Ａ，６００Ｂ……制御回路。
【図１】
2009081353.tif 000003
【図２】
2009081353.tif 000004
【図３】
2009081353.tif 000005
【図４】
2009081353.tif 000006
【図５】
2009081353.tif 000007
【図６】
2009081353.tif 000008
【図７】
2009081353.tif 000009
【図８】
2009081353.tif 000010
【図９】
2009081353.tif 000011
【図１０】
2009081353.tif 000012
【図１１】
2009081353.tif 000013
【図１２】
2009081353.tif 000014
【図１３】
2009081353.tif 000015
【図１４】
2009081353.tif 000016